(57)【要約】【課題】ベッド外からの介護がし易く、かつベッド外からベッド内の様子が見やすい床置き用のベッド及びベッド設備の提供を目的とする。【解決手段】ベッドは、床面に載置される矩形の底面シート１１と、底面シート１１の三辺上に立設された外周立壁２１、２２、２３と、前記外周立壁２１、２２、２３で包囲された領域の底面シート１１上に設置されるマット５１とよりなり、外周立壁２１、２２、２３と底面シート１１は、ファスナーによって係合分離可能にされると共に、隣り合う外周立壁同士はファスナーによって係合分離可能にされている。ベッド設備は、ベッド１０の複数台が、外周立壁の無い側を同一方向へ向けて一部屋に配置された構成からなる。【選択図】図１
0003198208.tif 000002
【実用新案登録請求の範囲】
【請求項１】
矩形の底面シートと、前記底面シートの三辺上に立設された外周立壁と、前記外周立壁で包囲された領域の前記底面シート上に設置されるマットとよりなるベッド。
【請求項２】
前記外周立壁と前記底面シートは、ファスナーによって係合分離可能にされると共に、隣り合う前記外周立壁同士はファスナーによって係合分離可能にされていることを特徴とする請求項１に記載のベッド。
【請求項３】
前記底面シートと前記外周立壁には脚部が無く、前記底面シートの床面と接触する面には滑り止め材が設けられ、
前記マットと前記底面シートの互いに接触する面の少なくとも一方には滑り止め材が設けられていることを特徴とする請求項１または２に記載のベッド。
【請求項４】
前記外周立壁は、マット側を向く面の上部側が上向きに傾斜していることを特徴とする請求項１から３の何れか一項に記載のベッド。
【請求項５】
請求項１から４の何れか一項に記載のベッドの複数台が、前記外周立壁の無い側を同一方向へ向けて一部屋に配置されたことを特徴とするベッド設備。
【考案の詳細な説明】
【技術分野】
【０００１】
本考案は、床置き(脚無し)ベッドに関し、特には肢体不自由な心身障害者の介護用として好適なベッド及びベッド設備に関する。
【背景技術】
【０００２】
従来、ベッドには脚付きベッドと床置き（脚無し）ベッドがある。
脚付きベッドは、マット部分が床面よりも高い位置にあるため、使用者が寝返り等によりマット部分から落下して負傷するおそれがある。また、脚付きベッドの側部に側板や柵を設けて落下防止を図ったもの（例えば特許文献１）が提案されているが、脚付きベッドの側部に側板や柵を設けたものは、使用者が介護の必要な場合などにおいては、介護する際に側板や柵が邪魔になることがある。さらには、側板が邪魔してベッド外からベッド内の様子が見難く、介護に支障を生じるおそれもある。
【０００３】
一方、床置き（脚無し）ベッドとして、マットレスの四辺に半高仕切を設けてマットレスの全周を半高仕切で包囲したベッド（特許文献２）、あるいは発泡体製のベッド枠体の上面中央部に形成したマット収容凹部にマットを配置して、マットの全周をベッド枠体で包囲したベッド（特許文献３）がある。しかし、従来の床置き（脚無し）ベッドは、マットレスの全周を包囲する半高仕切や柵、あるいはマット全周を包囲するベッド枠体が介護作業の邪魔になったり、ベッド内の様子がベッド外から見難かったりして、介護に支障を生じるおそれがある。
【先行技術文献】
【特許文献】
【０００４】
【特許文献１】実開昭５２−４９７０４号公報
【特許文献２】特開２００２−６５４００号公報
【特許文献３】特開２００５−２７９５４号公報
【考案の概要】
【考案が解決しようとする課題】
【０００５】
本考案は前記の点に鑑みなされたものであり、ベッド外からの介護がし易く、かつベッド内の様子が見やすい床置き用のベッド及びベッド設備の提供を目的とする。
【課題を解決するための手段】
【０００６】
請求項１の考案は、矩形の底面シートと、前記底面シートの三辺上に立設された外周立壁と、前記外周立壁で包囲された領域の前記底面シート上に設置されるマットとよりなるベッドに係る。
【０００７】
請求項２の考案は、請求項１において、前記外周立壁と前記底面シートは、ファスナーによって係合分離可能にされると共に、隣り合う前記外周立壁同士はファスナーによって係合分離可能にされていることを特徴とする。
【０００８】
請求項３の考案は、請求項１または２において、前記底面シートと前記外周立壁には脚部が無く、前記底面シートの床面と接触する面には滑り止め材が設けられ、前記マットと前記底面シートの互いに接触する面の少なくとも一方には滑り止め材が設けられていることを特徴とする。
【０００９】
請求項４の考案は、請求項１から３の何れか一項において、前記外周立壁は、マット側を向く面の上部側が上向きに傾斜していることを特徴とする。
【００１０】
請求項５の考案は、請求項１から４の何れか一項に記載のベッドの複数台が、前記外周立壁の無い側を同一方向へ向けて一部屋に配置されたことを特徴とするベッド設備に係る。
【考案の効果】
【００１１】
請求項１の考案のベッドによれば、矩形の底面シートの１辺には外周立壁が存在しないため、外周立壁の無い側からの介護作業が容易になる。また、外周立壁の無い側からベッド内の様子を見ることができ、ベッド内の状態把握が容易となる。
【００１２】
請求項２の考案のベッドによれば、不要時に外周立壁と底面シート及び外周立壁同士を分離して収納できるため、収納場所を取ることが無い。
【００１３】
請求項３の考案のベッドによれば、底面シートの床面と接触する面に滑り止め材が設けられているため、底面シートを床面に載置してもずれ難く、介護作業等の際にベッドがずれ難く、作業がしやすくなる。また、マットと底面シートの互いに接触する面の少なくとも一方には滑り止め材が設けられているため、介護作業等の際にマットがずれ難く、介護作業がしやすくなる。
【００１４】
請求項４の考案のベッドによれば、外周立壁は、マット側を向く面の上部側が上向きに傾斜しているため、ベッドの組み立てや分解等の際に作業者が外周立壁とマットとの境界に手を入れてマットを正しい位置に配置したり、マットを外したりする作業が容易になる。
【００１５】
請求項５の考案のベッド設備によれば、請求項１から４の何れか一項に記載のベッドの複数台が、外周立壁の無い側を同一方向へ向けて一部屋に配置されるため、複数台のベッドに対してベッド内の様子を外周立壁の無い側から一度に見ることができ、介護作業が容易になる。
【図面の簡単な説明】
【００１６】
【図１】一実施例のベッドの斜視図である。
【図２】一実施例のベッドを裏側から見た斜視図である。
【図３】一実施例のベッドの正面図、平面図、背面図である。
【図４】一実施例のベッドの左側面図、右側面図、底面図である。
【図５】マットを底面シートから外した状態を示す斜視図である。
【図６】底面シートと分離した外周立壁の斜視図である。
【図７】外周立壁の断面図である。
【図８】マットの斜視図、Ａ−Ａ断面図及びマット用発泡体の断面図である。
【図９】一実施例のベッド設備の平面図である。
【考案を実施するための形態】
【００１７】
以下に、本考案の一実施例のベッド及びベッド設備について説明する。図１及び図２に示すベッド１０は、矩形の底面シート１１と、前記底面シート１１の三辺上に立設された外周立壁２１、２２、２３と、前記外周立壁２１、２２、２３で包囲された領域の前記底面シート１１上に設置されたマット５１とよりなる。前記ベッド１０は、脚部が無く、前記底面シート１１が床面と接触する床置き（脚無し）タイプのベッドである。前記ベッド１０の六面図を、各部の寸法と共に図３及び図４に示す。また、前記マット５１を底面シート１１から外した状態を図５に示す。
【００１８】
前記底面シート１１は、矩形形状をしており、材質については限定されるものではないが、通気性のあるニット生地やメッシュ生地がより好ましい。なお、前記底面シート１１は、薄い発泡体シートを表皮で覆ったもので構成してもよい。前記矩形は、本実施例では長方形であるが、正方形であってもよい。
【００１９】
また、図６に示すように、前記底面シート１１において前記外周立壁２１、２２、２３が設置される三辺の上面には、前記外周立壁２１、２２、２３を係合分離可能とするファスナー３１Ａ、３１Ａ、３１Ａが設けられている。前記ファスナー３１Ａは、限定されるものではないが、面ファスナーが好ましい。
【００２０】
また、図２及び図４に示すように、前記底面シート１１の床面との接触面、すなわち底面シート１１の裏面には、所定箇所に滑り止め材１２が設けられている。滑り止め材１２は、熱膨張剤を含んだ合成ゴムを底面シート１１の裏面にコーティングして発泡させたものなどで構成されている。前記滑り止め材１２は、前記底面シート１１の裏面に部分的に設けられているが、裏面全体に設けてもよい。
【００２１】
前記外周立壁２１、２２、２３は、前記底面シート１１の三辺上に設置されてベッド１０の外周を仕切る立壁に相当する。本実施例では、長方形をした前記底面シート１１の一長辺を除く他の三辺上に設置される。前記外周立壁２１、２２、２３は、図７に示す断面図のように、立壁用発泡体２５の外周が表皮２７で覆われたもので構成されている。前記外周立壁２１、２２、２３は、マット側の面の上部側が上向き傾斜面２８で構成され、それより下側部分がほぼ垂直面２９で構成されている。前記上向き傾斜面２８の傾斜角度θは、適宜設定されるが、例として１０〜３０度程度を挙げる。前記垂直面２９の部分の高さは、前記外周立壁２１、２２、２３の下端から前記マット５１の高さに相当する高さまでが好ましい。
【００２２】
前記立壁用発泡体２５は、気泡同士が連通している連続気泡発泡体や、気泡が独立して存在する独立気泡発泡体の何れを用いることもできる。連続気泡発泡体としては、ポリウレタンフォーム等を使用でき、一方、独立気泡発泡体としては、ゴムスポンジ、ポリエチレンフォーム等を使用することができる。例として、見掛け密度２３〜２７ｋｇ／ｍ３（ＪＩＳ  Ｋ７２２２準拠）、硬さ１７６〜２１５Ｎ（ＪＩＳ  Ｋ６４００−２  ６．７Ｄ法準拠）のポリウレタンフォームを挙げる。
【００２３】
前記外周立壁２１、２２、２３の表皮２７は、布や合成樹脂シート等で構成されている。より好ましくは、汚れを落としやすい合成樹脂シートが好ましい。
前記外周立壁２１、２２、２３における前記底面シート１１と接触する面、すなわち底面（裏面）には、前記底面シート１１のファスナー３１Ａと係合分離可能なファスナー３１Ｂがそれぞれ設けられている。前記底面シート１１のファスナー３１Ａが面ファスナーの場合には、前記外周立壁２１、２２、２３のファスナー３１Ｂも面ファスナーで構成される。
【００２４】
隣り合う外周立壁２１と２２、及び２２と２３は、それぞれファスナーで係合分離可能に構成されている。本実施例では、中央の外周立壁２２は、背面の左右両縁の上部に可撓片３５、３５が先端を突出して取り付けられ、前記可撓片３５、３５の突出した部分の内面側にファスナー３７Ａ、３７Ａが設けられている。可撓片３５は、合成樹脂シートや布等の帯状片で構成され、接着や縫合等で一端側が中央の前記外周立壁２２に取り付けられている。中央の前記外周立壁２２の両隣に位置する外周立壁２１、２３は、中央の前記外周立壁２２側の背面上部に、前記可撓片３５のファスナー３７Ａと係合分離可能なファスナー３７Ｂがそれぞれ取り付けられている。
【００２５】
中央の前記外周立壁２２の両縁から突出している前記可撓片３５、３５を、隣り合う前記外周立壁２１、２３の背面上部に重ね、前記可撓片３５のファスナー３７Ａと前記外周立壁２１、２３のファスナー３７Ｂを係合させることにより、前記外周立壁２１、２２、２３を互いに係合し、前記外周立壁２１、２２、２３が外方へ押された際に分離して傾くのを防ぐことができる。なお、前記ファスナー３７Ａと３７Ｂは、互いに係合分離可能なものであればよく、一例として面ファスナーを挙げる。
【００２６】
前記マット５１は、前記外周立壁２１、２２、２３で包囲される領域の前記底面シート１１上に設置可能な平面寸法からなる。前記マット５１は、図８の（８−２）に示すように、マット用発泡体５３を表皮６３で覆ったもので構成されている。前記マット用発泡体５３は、ウレタンフォーム等の樹脂発泡体が好ましい。本実施例のマット用発泡体５３は、図８の（８−３）に示すように、下層５５と中層５７と上層５９の三層構造からなる。
【００２７】
前記下層５５は、下面がプロファイル加工により凹凸形状５６とされた硬質ウレタンフォームからなる。下面を凹凸形状５６とすることにより、前記マット５１の底面で通気性が良好となり、蒸れを抑えることができる。前記下層５５を構成する硬質ウレタンフォームは、見掛け密度２３〜２７ｋｇ／ｍ３（ＪＩＳ  Ｋ７２２２準拠）、硬さ１７６〜２１５Ｎ（ＪＩＳ  Ｋ６４００−２  ６．７Ｄ法準拠）が好ましく、三層のうち、最も硬度の高い（硬い）ウレタンフォームで構成される。
【００２８】
前記中層５７は、反発力の高い高弾性ウレタンフォームからなる。前記中層５７の反発力を高くすることにより、身体の過度の沈み込みを防ぎ、使用感を快適なものとすることができる。前記中層５７を構成する高弾性ウレタンフォームは、見掛け密度３２〜３８ｋｇ／ｍ３（ＪＩＳ  Ｋ７２２２準拠）、硬さ９３〜１５２Ｎ（ＪＩＳ  Ｋ６４００−２  ６．７Ｄ法準拠）、反発弾性４５以上（ＪＩＳ  Ｋ６４００−３準拠）が好ましい。
【００２９】
前記上層５９は、低反発ウレタンフォームからなる。前記上層５９を低反発とすることにより、身体の体圧を分散させ、使用感を快適なものとすることができる。前記上層５９を構成する低反発ウレタンフォームは、見掛け密度３５〜４５ｋｇ／ｍ３（ＪＩＳ  Ｋ７２２２準拠）、硬さ２０〜６０Ｎ（ＪＩＳ  Ｋ６４００−２  ６．７Ｄ法準拠）、反発弾性１５以下（ＪＩＳ  Ｋ６４００−３準拠）が好ましい。
なお、前記三層の厚みは、低反発ウレタンフォームからなる上層５９の厚み＜硬質ウレタンフォームからなる下層５７の厚み＜高弾性ウレタンフォームからなる中層５８の厚みとされており、中層５８の厚みが最も大にされる。
【００３０】
前記マット５１の表皮６３は、布や合成樹脂シート等で構成されている。本実施例では、前記マット５１の上面（天面）６４及び側面（前後左右側面）６５がポリエステル繊維の布で構成されている。好ましくはウレタン樹脂等を塗布して防水・防汚・難燃加工された布を使用する。下面（底面）６６は、通気性のあるニット生地やメッシュ生地で構成されている。また、前記底面シート１１と接触する前記下面６６には、部分的に滑り止め材６７が設けられている。前記下面６６に部分的に滑り止め材６７を設けることにより、前記下面６６の通気性低下を少なくできる。前記滑り止め材６７は、前記底面シート１１の下面に設けた滑り止め材１２と同様のもので構成されている。また、前記マット５１側に滑り止め材６７を設けるのに代えて、前記底面シート１１におけるマット側の面（上面）に設けたり、あるいは前記マット５１と底面シート１１の両方に設けたりしてもよい。
【００３１】
前記ベッド１０は、片付ける際に前記底面シート１１から前記外周立壁２１、２２、２３を分離し、さらに前記外周立壁２１、２２、２３同士も分離させて収納することができるため、コンパクトに収納することができる。
【００３２】
図９は本考案の一実施例に係るベッド設備１００の平面図である。前記ベッド設備１００は、前記ベッド１０の複数台が、それぞれ前記外周立壁２１、２２、２３の無い側１０Ａを同一方向へ向けて一部屋１１０に配置された構成からなる。符号１１１は部屋の出入り口である。なお、前記外周立壁２１、２２、２３の無い側１０Ａは、前記底面シート１１において前記外周立壁２１、２２、２３が設置されていない一辺側である。前記ベッド１０の複数台をこのように一部屋１１０設置したため、介護者等は、複数台のベッド１０に対してベッド１０内の様子を外周立壁の無い側から一度にあるいは速やかに見ることができ、介護をスムーズに、かつ容易に行えるようになる。
【００３３】
このような構成からなる実施例のベッド１０は、外周立壁の無い側からの介護作業が容易になる。また、外周立壁の無い側からベッド１０内の様子を見ることができるため、バッド内の状態把握が容易となる。一方、ベッドの不要時には、外周立壁と底面シート及び外周立壁同士を分離してコンパクトに収納できるため、収納場所を取ることが無い。
【００３４】
また、実施例のベッド１０は、前記底面シート１１の床面と接触する面に設けられている滑り止め材１２により、介護作業等の際にベッドがずれ難く、作業がしやすくなる。さらに、前記マット５１と底面シート１１の互いに接触する面の一方にも滑り止め材６７が設けられているため、介護作業等の際にマット５１自体もずれ難い。
【００３５】
また、実施例のベッド１０は、前記外周立壁２１、２２、２３においてマット側を向く面の上部側が上向き傾斜面２８で構成されているため、ベッド１０の組み立てや分解等の際に作業者が前記外周立壁２１、２２、２３と前記マット５１との境界に手を入れてマット５１を正しい位置に配置したり、マット５１を外したりする作業が容易になる。
【００３６】
また、実施例のベッド１０は、前記マット５１の発泡体が、下面がプロファイル加工により凹凸形状５６とされた硬質ウレタンフォームの下層５５と、高弾性ウレタンフォームからなる中層５７と、低反発ウレタンフォームからなる上層５９との三層構造で構成されている。そのため、低反発ウレタンフォームからなる上層５９により体圧を分散し、かつ、高弾性ウレタンフォームからなる中層５７により身体の沈み込みを防ぎ、さらに、硬質ウレタンフォームからなる下層５５の下面の凹凸により、マット５１の底部に通気性を持たせることができ、前記マット５１使用者の快適性を高めることができる。
【００３７】
また、実施例のベッド設備１００は、前記ベッド１０の複数台が、それぞれ前記外周立壁２１、２２、２３の無い側１０Ａを同一方向へ向けて一部屋１１０に配置されているため、介護者等は、複数台のベッド１０に対してベッド１０内の様子を外周立壁の無い側から一度にあるいは速やかに見ることができ、介護をスムーズに、かつ容易に行えるようになる。
【符号の説明】
【００３８】
１０  ベッド
１１  底面シート
１２  滑り止め材
２１、２２、２３  外周立壁
２８  上向き傾斜面
５１  マット
６７  滑り止め材
【図１】
0003198208.tif 000003
【図２】
0003198208.tif 000004
【図３】
0003198208.tif 000005
【図４】
0003198208.tif 000006
【図５】
0003198208.tif 000007
【図６】
0003198208.tif 000008
【図７】
0003198208.tif 000009
【図８】
0003198208.tif 000010
【図９】
0003198208.tif 000011